(57)【要約】      （修正有）【課題】データライブラリ装置内部の振動の影響を避けてデータ記録品質を確保できるデータアーカイブシステムを提供する。【解決手段】互いに関係するデータを記録する場合は、隣り合ったデータ記録再生装置を選択して複数枚の記録媒体に同時にデータ記録再生を行い、互いに無関係なデータを記録する場合は、1つ間隔を空けたデータ記録再生装置を選択して複数枚の記録媒体に必ずしも同時ではなくデータ記録再生を行うように制御する。【選択図】図７
2013191252.tif 000002
【特許請求の範囲】
【請求項１】
複数枚の記録媒体と、
前記記憶媒体を複数枚格納する記録媒体格納装置と、
前記記憶媒体にデータを記録する複数のデータ記録再生装置と、
前記記録媒体格納装置と前記データ記録再生装置との間で前記記録媒体を運搬する記録媒体運搬装置と、を備えるデータライブラリ装置と、
ネットワークと接続し、前記データライブラリ装置を制御するサーバ、より構成されるデータアーカイブシステムにおいて、
前記複数のデータ記録再生装置のうち、一つのデータ記録再生装置で記録が行われている場合には、前記記録媒体運搬装置は前記記録が行われているデータ記録再生装置と隣り合わないデータ記録再生装置に記録媒体を装着することを特徴とするデータアーカイブシステム。
【請求項２】
請求項１に記載のデータアーカイブシステムにおいて、
互いに関係するデータを記録する場合は、前記記録媒体運搬装置により隣り合ったデータ記録再生装置に記録媒体を装着し、
複数のデータ記録再生装置により複数枚の記録媒体に同時にデータ記録再生を行い、
互いに無関係なデータを記録する場合は、前記記録媒体運搬装置により１つ間隔を空けたデータ記録再生装置に記録媒体を装着し、
複数のデータ記録再生装置により複数枚の記録媒体に必ずしも同時ではなくデータ記録再生を行うように制御することを特徴とするデータアーカイブシステム。
【請求項３】
請求項２に記載のデータアーカイブシステムにおいて、
既に動作中のデータ記録再生装置に加えて、互いに関係するデータを記録する場合は、前記記録媒体運搬装置により既に動作中のデータ記録再生装置から1つ間隔を空けて、かつ隣り合ったデータ記録再生装置に記録媒体を装着し、
複数のデータ記録再生装置により複数枚の記録媒体に同時にデータ記録再生を行い、
互いに無関係なデータを記録する場合は、前記記録媒体運搬装置により既に動作中のデータ記録再生装置も含めて1台ずつ間隔を空けたデータ記録再生装置に記録媒体を装着し、
複数のデータ記録再生装置により複数枚の記録媒体に必ずしも同時ではなくデータ記録再生を行うように制御することを特徴とするデータアーカイブシステム。
【請求項４】
複数枚の記録媒体と、
前記記憶媒体を複数枚格納する記録媒体格納装置と、
前記記憶媒体にデータを記録する複数のデータ記録再生装置と、
前記記録媒体格納装置と前記データ記録再生装置との間で前記記録媒体を運搬する記録媒体運搬装置と、を備えるデータライブラリ装置と、
ネットワークと接続し、前記データライブラリ装置を制御するサーバ、より構成されるデータアーカイブシステムにおいて、
前記複数のデータ記録再生装置は、２台一組のペアで支持部材により支持されており、前記複数のデータ記録再生装置のうち、一つのデータ記録再生装置で記録が行われている場合には、前記記録媒体運搬装置は前記記録が行われているデータ記録再生装置とペアでないデータ記録再生装置に記録媒体を装着することを特徴とするデータアーカイブシステム。
【請求項５】
請求項４に記載のデータアーカイブシステムにおいて、
互いに関係するデータを記録する場合は、前記記録媒体運搬装置により２台一組のペアのデータ記録再生装置に記録媒体を装着し、
複数のデータ記録再生装置により複数枚の記録媒体に同時にデータ記録再生を行い、
互いに無関係なデータを記録する場合は、前記記録媒体運搬装置により２台一組のペアでないデータ記録再生装置に記録媒体を装着し、
複数のデータ記録再生装置により複数枚の記録媒体に必ずしも同時ではなくデータ記録再生を行うように制御することを特徴とするデータアーカイブシステム。
【請求項６】
請求項５に記載のデータアーカイブシステムにおいて、
既に動作中のデータ記録再生装置に加えて、互いに関係するデータを記録する場合は、前記記録媒体運搬装置により既に動作中のデータ記録再生装置から1つ間隔を空けて、かつ２台一組のペアのデータ記録再生装置に記録媒体を装着し、
複数のデータ記録再生装置により複数枚の記録媒体に同時にデータ記録再生を行い、
互いに無関係なデータを記録する場合は、前記記録媒体運搬装置により既に動作中のデータ記録再生装置も含めて２台一組のペアでないデータ記録再生装置に記録媒体を装着し、
複数のデータ記録再生装置により複数枚の記録媒体に必ずしも同時ではなくデータ記録再生を行うように制御することを特徴とするデータアーカイブシステム。
【請求項７】
複数枚の記録媒体と、
前記記憶媒体を複数枚格納する記録媒体格納装置と、
前記記憶媒体にデータを記録する複数のデータ記録再生装置と、
前記記録媒体格納装置と前記データ記録再生装置との間で前記記録媒体を運搬する記録媒体運搬装置と、を備えるデータライブラリ装置と、
ネットワークと接続し、前記データライブラリ装置を制御するサーバ、より構成されるデータアーカイブシステムにおいて、
前記データ記録再生装置は、Ｎ個で一組として第一の支持部材により支持されており、さらに前記第一の支持部材で支持された組を複数組まとめて第二の支持部材により支持されており、前記複数のデータ記録再生装置のうち、一つのデータ記録再生装置で記録が行われている場合には、前記記録媒体運搬装置は前記記録が行われているデータ記録再生装置と異なる第一の支持部材により支持されているデータ記録再生装置に記録媒体を装着することを特徴とするデータアーカイブシステム。
【発明の詳細な説明】
【技術分野】
【０００１】
本発明は、データアーカイブシステムに関するものである。
【背景技術】
【０００２】
本技術分野の背景技術として、特開平１１−０４５４９７号公報がある。特許文献１には「ファイルデータを複数のデータブロックに分割して各々のデータブロックを異なるライブラリモジュールに記憶し、複数アクセッサを同時に使用することによりディスク交換時間を大幅に短縮することができる。」と記載されている。
【先行技術文献】
【特許文献】
【０００３】
【特許文献１】特開平１１−０４５４９７号公報
【発明の概要】
【発明が解決しようとする課題】
【０００４】
特許文献１では、ディスク交換時間を短縮できるようにファイルデータを複数のデータブロックに分割して各々のデータブロックを異なるライブラリモジュールに記憶しているが、データの記録再生品質については特に考慮されていない。
【０００５】
そこで、本発明は、データライブラリ装置内部の振動の影響を避けてデータ記録再生品質を確保できるデータアーカイブシステムを提供することを目的とする。
【課題を解決するための手段】
【０００６】
上記目的は、例えば、記録媒体を挿入する際は記録が行われているデータ記録再生装置と隣り合わないデータ記録再生装置に挿入することで達成できる。
【発明の効果】
【０００７】
本発明によれば、データライブラリ装置内部の振動の影響を避けてデータ記録再生を行うデータアーカイブシステムを提供することができる。
【０００８】
上記した以外の課題、構成及び効果は、以下の実施形態の説明により明らかにされる。
【図面の簡単な説明】
【０００９】
【図１】第１の実施例のデータライブラリ装置の構成を示すブロック図
【図２】第１の実施例のデータ記録再生装置の構成を示すブロック図
【図３】第１の実施例のデータアーカイブシステムの構成を示すブロック図
【図４】第１の実施例のデータライブラリ装置の動作を示すフローチャート
【図５】第１の実施例のサーバからデータライブラリ装置への命令発行処理を示すフローチャート
【図６】第１の実施例のデータ記録再生装置の配置を示す図
【図７】第１の実施例のデータ記録再生装置の選択処理を示すフローチャート
【図８】第１の実施例のデータ記録再生装置の命令発行処理を示すフローチャート
【図９】第２の実施例のデータ記録再生装置の選択処理を示すフローチャート
【図１０】第３の実施例のデータ記録再生装置の配置を示す図
【図１１】第３の実施例のデータ記録再生装置の選択処理を示すフローチャート
【図１２】第４の実施例のデータ記録再生装置の選択処理を示すフローチャート
【発明を実施するための形態】
【００１０】
以下、図面を用いて実施例を説明する。
【実施例１】
【００１１】
図１は第１の実施例のデータライブラリ装置の構成を示すブロック図である。
【００１２】
データライブラリ装置１０１は、サーバ１０２の制御により、ネットワーク１０３からサーバ１０２を介してハードディスク１０４に蓄積されたデータを光ディスク１０９に記録する。また、光ディスク１０９からデータを再生し、サーバ１０２を介してネットワーク１０３に送る。
【００１３】
サーバ１０２は、データライブラリ装置１０１の内蔵するＣＰＵ（Ｃｅｎｔｒａｌ  Ｐｒｏｃｅｓｓｉｎｇ  Ｕｎｉｔ）１０２との通信によってデータライブラリ装置を制御するとともに、ハードディスク１０４を制御し、データの記録再生やネットワーク１０３を介したデータ送受信等のデータ管理を行う。
【００１４】
ハードディスク１０４は、サーバ１０２に制御されてネットワーク１０３から送られたデータを蓄える。
【００１５】
データライブラリ装置のＣＰＵ（Ｃｅｎｔｒａｌ  Ｐｒｏｃｅｓｓｉｎｇ  Ｕｎｉｔ）１０５は、サーバ１０２からの要求により、光ディスク運搬装置１０７を制御して、光ディスク格納装置１０８に格納された複数枚の光ディスク１０９の中から所望の光ディスクを選択し、データ記録再生装置１１０、１１１、１１２、…、１１７に送る。また、光ディスク運搬装置１０７を制御してデータ記録再生装置１１０、１１１、１１２、…、１１７から光ディスク１０９を受け取り、光ディスク格納装置１０８内の所定の位置に光ディスクを格納する。なお、ＣＰＵでなくとも、同様の制御が可能な任意の回路を用いてもよい。
【００１６】
メモリ１０６には、各種のプログラムや情報が記録されており、例えばデータライブラリ装置のＣＰＵ１０５を制御するためのプログラムや設定情報もメモリ１０６に記録されている。
【００１７】
光ディスク運搬装置１０７は、データライブラリ装置のＣＰＵ１０５に制御されて、光ディスク１０９を光ディスク格納装置１０８から取り出し、運搬し、データ記録再生装置１１０、１１１、１１２、…、１１７に装着する。あるいは、光ディスク１０９をデータ記録再生装置１１０、１１１、１１２、…、１１７から受け取り、運搬し、光ディスク格納装置１０８へと格納する。
【００１８】
光ディスク格納装置１０８は、内部に光ディスク１０９を複数枚格納している。
【００１９】
光ディスク１０９は、例えばＢＤ−Ｒ（Ｂｌｕ−ｒａｙ  Ｄｉｓｃ  Ｒｅｃｏｒｄａｂｌｅ）のような記録媒体であるが、必ずしも光ディスクに限定されるものではなく、光磁気ディスクやホログラム等の記録媒体であってもよく、ディスク形状でなくてもよい。
【００２０】
光ディスク１０９は光ディスク格納装置１０８の内部に複数枚格納されている。図１では光ディスク格納装置１０８は１つしか図示しないが、複数内蔵してもよく、例えば一方は未記録ディスク格納装置、他方は記録済ディスク格納装置など、用途に応じて使い分けても構わない。もちろん、光ディスク格納装置１０８の内部を未記録ディスク格納領域と記録済ディスク格納領域とに区切っても構わない。
【００２１】
光ディスク１０９は、データ記録時、光ディスク運搬装置１０７によって光ディスク格納装置１０８から取り出され、データ記録再生装置１１０、１１１、１１２、…、１１７に装着されてデータが記録される。データ記録が終了すると、データ記録再生装置１１０、１１１、１１２、…、１１７から取り外され、光ディスク運搬装置１０７によって光ディスク格納装置１０８へと戻される。一方、データ再生時、光ディスク１０９は光ディスク運搬装置１０７によって光ディスク格納装置１０８から取り出され、データ記録再生装置１１０、１１１、１１２、…、１１７に装着されてデータが再生される。データ再生が終了すると、データ記録再生装置１１０、１１１、１１２、…、１１７から取り外され、光ディスク運搬装置１０７によって光ディスク格納装置１０８へと戻される。
【００２２】
データ記録再生装置１１０、１１１、１１２、…、１１７は、データライブラリ装置のＣＰＵ１０５に制御されて、光ディスク１０９へのデータ記録または光ディスク１０９からのデータ再生を行う。なお、データ記録再生装置がデータライブラリ装置１０１に８台搭載された例を示したが、本実施例を説明する上での一例に過ぎない。
【００２３】
図２はデータ記録再生装置の構成を示すブロック図である。
【００２４】
データ記録再生装置１１０は、ライブラリ装置のＣＰＵ１０５から入力したデータを光ディスクに記録する。また、光ディスクから再生したデータをライブラリ装置のＣＰＵ１０５に出力する。
【００２５】
光ディスク１０９は、記録媒体であり例えばＢＤ−Ｒ（Ｂｌｕ−ｒａｙ  Ｄｉｓｃ  Ｒｅｃｏｒｄａｂｌｅ）である。
【００２６】
光ピックアップ２０２は、光ディスク１０９から信号を読み出して増幅回路２０３に送る。また、信号処理回路２０４から送られた変調信号を光ディスク１０９に記録する。
【００２７】
増幅回路２０３は、光ピックアップ２０２を介して光ディスク１０９から読み出した再生信号を増幅して信号処理回路２０４に送る。また、サーボ信号を生成してサーボ回路２０６に送る。
【００２８】
信号処理回路２０４は、入力信号を復調し、誤り訂正等を行ったデータをインタフェース回路２０５に送る。また、インタフェース回路２０５から送られたデータに誤り訂正符号を付加する等を行い、変調して光ピックアップ２０２に送る。
【００２９】
インタフェース回路２０５は、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）、ＳＡＳ（Ｓｅｒｉａｌ  Ａｔｔａｃｈｅｄ  ＳＣＳＩ）、その他の転送規格に準拠したデータ転送処理を行う。データ転送時には、信号処理回路２０４から送られたデータをホストであるライブラリ装置のＣＰＵに送る。また、ホストであるライブラリ装置のＣＰＵから送られたデータを信号処理回路２０４に送る。
【００３０】
サーボ回路２０６は、増幅回路２０３にて生成されたサーボ信号により光ピックアップ２０２を制御する。
【００３１】
データ記録再生装置のＣＰＵ２０７は、データ記録再生装置１１０の記録処理、再生処理の制御を行う。なお、ＣＰＵでなくとも、同様の制御が可能な任意の回路を用いてもよい。また、データ記録再生装置の記録処理または再生処理を開始する前に、データ記録再生装置の初期調整を行い、光ディスクから媒体情報等を取得してメモリ２０８に格納する。
【００３２】
メモリ２０８は、データ記録再生装置を制御するためのプログラムや各種設定情報、光ディスクから取得した媒体情報などを格納する。なお、メモリ２０８はデータ記録再生装置内でＣＰＵ２０７と接続する例を示したが、データ記録再生装置内外のどこに接続されていてもよい。また、情報を保持できればメモリでなくてもよく、例えばハードディスクでもよい。
【００３３】
上記構成のデータ記録再生装置によって、データライブラリ装置のＣＰＵからの指示に従って光ディスクにデータを記録し、また、光ディスクからデータを再生することができる。なお、ここではデータ記録再生装置１１０について説明したが、データ記録再生装置１１１、１１２、…、１１７についても同様である。
【００３４】
図３はデータアーカイブシステムの構成を示すブロック図である。
【００３５】
データアーカイブシステムは、サーバ１０２に、１つ以上のデータライブラリ装置１０１と、ハードディスク１０４と、ネットワーク１０３とが接続されて構成される。
【００３６】
サーバ１０２は、データライブラリ装置１０１に対してデータの記録再生を中心としたサービスを提供するとともに、ハードディスク１０４に対するデータの記録と再生、ネットワーク１０３を介したデータの送受信や管理を行う。
【００３７】
サーバ１０２のＣＰＵ３０１は、データ記録時には、ネットワーク１０３からネットワーク制御部３０５を介して受信したデータをハードディスクＩ／Ｆ（インタフェース）部３０４を介してハードディスク１０４に記録する。あるいは、データライブラリＩ／Ｆ部３０３を介してデータライブラリ装置を制御し、データライブラリ装置が内蔵する光ディスクに記録する。
【００３８】
データ再生時には、ハードディスクＩ／Ｆ部３０４を介してハードディスク１０４からデータを読み出し、ネットワーク制御部３０５を介してネットワーク１０３に送信する。あるいは、データライブラリＩ／Ｆ部３０３を介してデータライブラリ装置を制御し、データライブラリ装置が内蔵する光ディスクからデータを再生し、再生したデータを受け取り、ネットワーク制御部３０５を介してネットワーク１０３に送信する。
【００３９】
メモリ３０２は、サーバ１０２のＣＰＵ３０１を制御するためのプログラム、各種の情報が記録されている。
【００４０】
データライブラリＩ／Ｆ部３０３は、データライブラリ装置１０１とサーバ１０２のＣＰＵ３０１との間でのデータ送受信に関する制御を行う。なお、図では１つのデータライブラリＩ／Ｆ部に複数のデータライブラリ装置が接続されているが、例えば、ネットワークを介して複数のデータライブラリ装置が接続されるような構成でもよい。
【００４１】
ハードディスクＩ／Ｆ部３０４は、ハードディスク１０４とＳＡＴＡ、ＳＡＳなどの規格に準拠したデータ転送を行う。
【００４２】
ネットワーク制御部３０５は、ネットワーク１０３とサーバ１０２のＣＰＵ３０１との間でのデータ送受信に関する制御を行う。
【００４３】
図４はデータライブラリ装置の基本的な動作を示したフローチャートである。データライブラリ装置は、主にサーバ１０２からの命令にしたがって動作を行う。まずステップＳ４０１でサーバからの命令が到着しているかを確認する。命令がなければ命令を待ち続け、命令があればステップＳ４０２に進む。
【００４４】
ステップＳ４０２でサーバからの命令が記録命令であればステップＳ４０３に進み、データ記録処理を行う。具体的には、データ記録再生装置がサーバから送られたデータをサーバに指定された光ディスクの指定された箇所に記録する。
【００４５】
一方、ステップＳ４０４でサーバからの命令が再生命令であればステップＳ４０５に進み、データ再生処理を行う。具体的には、データ記録再生装置がサーバに指定された光ディスクから指定された箇所のデータを読み出してサーバに送る。
【００４６】
なお、ステップＳ４０３のデータ記録処理およびステップＳ４０５のデータ再生処理は１つのステップとして図示しているが、複数のステップで行っても構わない。例えば、一定サイズのデータを読み出すごとにサーバにデータを渡すように制御してもよい。また、１つの再生命令で一定サイズのデータを複数回に分けて読み出してもよいし、一定サイズ読み出すごとにサーバに終了通知を返し、また新たな再生命令を受けるようにしてもよい。
【００４７】
また、ステップＳ４０４でサーバからの命令が再生命令でなければ、ステップＳ４０６に進み、記録再生処理以外のその他の処理を行う。その他の処理とは例えば光ディスクの運搬、装着および取り外し等である。
【００４８】
次に、ステップＳ４０７では、一連の記録処理や再生処理、あるいはその他の処理が終了したことをサーバに通知する。
【００４９】
図５はサーバからデータライブラリ装置に対して命令を発行するときの動作を示したフローチャートである。サーバは、主にユーザからの要求にしたがって動作を行う。例えば、ユーザからデータ書き込み要求を受け、データを受け取り、データライブラリ装置にデータ書き込み命令を発行し、ユーザから受け取ったデータをデータライブラリ装置の内蔵する光ディスクに書き込ませる。あるいは、ユーザからデータ読み出し要求を受け、ユーザの所望するデータが記録された光ディスクを内蔵するデータライブラリ装置に対してデータ読み出し命令を発行し、読み出したデータをユーザに送る。
【００５０】
なお、サーバにはハードディスク１０４が接続されており、例えば、アクセス頻度の高いデータはデータライブラリ装置内の光ディスクでなく、アクセス効率の良いハードディスクに記録しておくこともできる。また、ユーザからの要求に限らず、サーバ自身の判断によってデータライブラリ装置に記録再生命令を発行することもできる。例えば、ハードディスク１０４に記録されたデータのアクセス頻度が低くなったと判断し、データライブラリ装置の内蔵する光ディスクに書き込むように、データライブラリ装置に対してデータ書き込み命令を発行することができる。このように、サーバ１０２は多様な動作を行うが、図５では、説明を簡単にするため動作の一例を説明する。
【００５１】
ステップＳ５０１では、処理要求が到着しているかを確認する。到着していなければ要求の到着を待ち続け、到着していればステップＳ５０２に進む。
【００５２】
ステップＳ５０２で要求が記録要求であればステップＳ５０３に進み、記録準備処理を行う。記録準備処理では、記録要求されたデータの種類や内容、サイズといった情報の確認の他、どのライブラリ装置の、どの光ディスクの、どの位置に記録するかを判断するなど、記録を開始するのに必要な処理を行う。
【００５３】
一方、ステップＳ５０４で要求が再生要求であればステップＳ５０５に進み、再生準備処理を行う。再生準備処理では、再生要求されたデータの種類や内容、サイズ、再生元といった情報の確認など、再生を開始するのに必要な処理を行う。再生元とは、例えば、どのデータライブラリ装置内の、どの光ディスクの、どの位置から再生するか等の情報である。なお、図ではステップＳ５０２の記録要求確認を先に行っているが、ステップＳ５０４の再生要求を先に行っても構わない。
【００５４】
次に、ステップＳ５０６では、サーバに接続された複数のデータライブラリ装置のうち、記録あるいは再生に使用する装置を選択する。
【００５５】
ステップＳ５０７では、ステップＳ５０６で選択したデータライブラリ装置に内蔵された複数のデータ記録再生装置のうち、いずれを使用するかの選択処理を行う。ステップＳ５０７のデータ記録再生装置選択処理の詳細は後述する。
【００５６】
ステップＳ５０８では、ステップＳ５０７でのデータ記録再生装置の選択にて選択不能エラーが発生したかどうかを判定する。選択不能エラーは、データ記録再生装置が必要数に足りないことを示すエラーである。もしも、選択不能エラーがある場合は、ステップＳ５０６に戻り、ライブラリ装置の選択からやり直す。選択不能エラーがない場合は、ステップＳ５０９に進む。
【００５７】
ステップＳ５０９では、データライブラリ装置に対して処理を実行するように命令を発行する。発行する命令の内訳は、記録や再生などの処理内容、使用するデータ記録再生装置や光ディスクの指定、等である。ステップＳ５０９の命令発行処理の詳細は後述する。
【００５８】
また、ステップＳ５０４で要求が再生要求でなければ、ステップＳ５１０に進み、記録再生準備以外のその他の処理を行う。
【００５９】
以上の処理によって、サーバはデータライブラリ装置に対して処理命令を発行し、命令を受けたデータライブラリ装置は、サーバから指定されたデータ記録再生装置、光ディスクを用いて、例えば図４のフローチャートにしたがって処理を実行する。
【００６０】
ところで、データライブラリ装置は、閉鎖的な空間の中に複数のデータ記録再生装置や光ディスク運搬装置等が密集しており、動作により振動が発生して互いにその影響を受ける。
【００６１】
図６は第１の実施例のデータ記録再生装置の配置を示す図である。データライブラリ装置内にデータ記録再生装置を等間隔に設置した例であり、ここでは８台のデータ記録再生装置６０１〜６０８を等間隔に並べて設置している。データ記録再生装置６０１〜６０８への光ディスク１０９の装着および取り外し時には振動が発生し、隣接するデータ記録再生装置の記録再生性能に影響を与える。記録再生性能に与える影響としては、光ディスクに記録するデータのエラーレートが上昇するような記録性能の劣化や、光ディスクから再生したデータに訂正不能が発生するような再生性能の劣化などが考えられる。例えばデータ記録再生装置６０１と６０３の記録処理中に、データ記録再生装置６０２に対して光ディスク１０９の装着あるいは取り外しを行うと、データ記録再生装置６０１と６０３において記録中の光ディスクのエラーレートが上昇する場合がある。
【００６２】
もちろん、これらは本実施例を説明する上での一例に過ぎず、データ記録再生装置の設置方法、設置位置や設置間隔は異なる場合があり、それぞれの場合で振動の影響も異なる。また、データの記録や再生などの動作ごとに、発生する振動の程度や影響の大きさが異なることも考えられる。
【００６３】
図７は図５のステップＳ５０７のデータ記録再生装置選択処理の詳細を示すフローチャートである。
【００６４】
図５のステップＳ５０７は、サーバが実行する処理であり、データの記録やデータの再生を実行する際、データライブラリ装置内のどのデータ記録再生装置を使用するかを選択し、決定する処理である。なお、ここではステップＳ５０６においてデータライブラリ装置の選択が終了したことを前提としているが、データライブラリ装置の選択時から振動の影響を考慮するようにしてもよい。ここでは、説明を簡単化するため、データライブラリ装置の選択が完了したことを前提とし、選択したデータライブラリ装置の内蔵するデータ記録再生装置の中から最適なデータ記録再生装置を選択するフローを説明する。最適なデータ記録再生装置の選択とは、データライブラリ装置に内蔵された複数のデータ記録再生装置のうち、その時点においてデータライブラリ装置内部で発生する振動の影響が少ないデータ記録再生装置を選択する処理である。
【００６５】
ステップＳ７０１では、要求された処理が記録か再生かを判断し、記録要求であればステップＳ７０２、記録要求でなく再生要求であればステップＳ７０７に進む。
【００６６】
ところで、サーバがデータライブラリ装置を使って１枚の光ディスクの容量を超えるデータを記録する際には、データを複数に分割して複数のデータ記録再生装置に送ることにより、複数の光ディスクに同時記録することが可能である。分割したデータを再生する際には、当該光ディスクを装着した複数のデータ記録再生装置から同時再生する。複数のデータ記録再生装置にて同時に記録再生を行うため、高速化が可能である。
【００６７】
要求された処理が記録である時、ステップＳ７０２において、記録データ容量が１枚の光ディスクの容量を超えるかどうかを確認する。１枚の光ディスクの容量を超える場合はステップＳ７０３、超えない場合はステップＳ７０６に進む。光ディスクの容量を超えたデータは分割して記録することになるが、ステップＳ７０３では、これらのデータが互いに関係するデータであるかどうかを確認する。互いに関係するデータである場合はステップＳ７０４、互いに関係しないデータである場合はステップＳ７０５に進む。
【００６８】
互いに関係するデータとは、例えば１枚の光ディスクの容量を超えるファイルが１つある場合に、これを２つに分割したデータである。互いに関係しないデータとは、例えば１枚の光ディスクの容量を超えないファイルが２つある場合に、これをそのまま記録するデータである。
【００６９】
ステップＳ７０４では、記録する複数のデータは互いに関係するデータであり、これらのデータの記録には隣り合った複数のデータ記録再生装置を選択する。隣り合ったデータ記録再生装置とは、例えば図６のデータ記録再生装置６０１と６０２である。また、２枚の光ディスクの容量を超える場合は、データ記録再生装置６０１〜６０３、３枚の光ディスクの容量を超える場合は、データ記録再生装置６０１〜６０４のように隣り合ったデータ記録再生装置を追加していけばよい。
【００７０】
ステップＳ７０５では、記録する複数のデータは互いに関係しないデータであり、これらのデータの記録には1台ずつ間隔を空けたデータ記録再生装置を選択する。1台ずつ間隔を空けたデータ記録再生装置とは、例えば図６のデータ記録再生装置６０１と６０３である。また、２枚の光ディスクの容量を超える場合は、データ記録再生装置６０１、６０３と６０５、３枚の光ディスクの容量を超える場合は、データ記録再生装置６０１、６０３、６０５と６０７、のように1台ずつ間隔を空けたデータ記録再生装置を追加していけばよい。４枚の光ディスクの容量を超える場合は、データ記録再生装置が足りなくなるが、このケースについては後述する。
【００７１】
ステップＳ７０６では、記録するデータの容量が１枚の光ディスクの容量を超えていないので、このデータの記録には１台のデータ記録再生装置を選択する。例えば図６のデータ記録再生装置６０１である。通常は装置番号の小さい順に選択すればよい。
【００７２】
また、ステップＳ７０１において、要求された処理が再生である時、ステップＳ７０７にて、再生対象のデータが互いに関係する分割記録されたデータであるかどうかを確認する。互いに関係する分割記録されたデータであれば、それらのデータの同時再生が必要であり、前述のステップＳ７０４に進む。互いに関係する分割記録されたデータでなければ、同時再生すべきデータはなく、前述のステップＳ７０６に進む。
【００７３】
次に、ステップＳ７０８では、ステップＳ７０４、Ｓ７０５、Ｓ７０６にてデータ記録再生装置の選択が完了したかどうかを判定し、必要数に足りずに選択完了できなかった場合はステップＳ７０９に進み、選択不能エラーを出力する。選択不能エラーが出力されるケースとしては、例えばステップＳ７０５にて互いに関係しないデータが多数あり、各々１台ずつ間隔を空けることによりデータ記録再生装置の必要数に足りなくなった場合等が考えられる。もちろん、図５のステップＳ５０６にて互いに関係しないデータが多数あることを考慮してライブラリ装置を選択しておけば、この限りではない。
【００７４】
図８は図５のステップＳ５０８のデータライブラリ装置への命令発行処理の例を示すフローチャートである。
【００７５】
光ディスク運搬装置はデータライブラリ装置内に通常１台のみ装備されているため、複数のデータ記録再生装置により複数の光ディスクに同時にデータ記録あるいは再生させる場合は、順に運搬および装着命令を発行する必要がある。また、複数の光ディスクに互いに関係するデータを記録あるいは再生する場合は、光ディスクの装着時と取り外し時の振動の影響を避けるため、各々の光ディスクの装着が完了してから一斉にデータ記録あるいは再生を開始させ、各々のデータ記録が全て終了したら光ディスクの取り外しを行わせる。
【００７６】
ステップＳ８０１は、光ディスク運搬および装着命令の発行処理である。複数の光ディスクに同時にデータ記録あるいは再生させる場合は、最初の運搬および装着命令を発行する。
【００７７】
ステップＳ８０２では、ステップＳ８０１で発行した光ディスク運搬および装着命令の終了通知を待つ。終了通知が到着したらステップＳ８０３に進み、必要な全ての光ディスクが装着完了していればステップＳ８０４に進み、装着完了していなければステップＳ８０１に戻り次の光ディスク運搬および装着命令を発行する。
【００７８】
ステップＳ８０４では、必要な全てのデータ記録再生装置にデータ記録あるいは再生命令を発行し、ステップＳ８０５で終了通知を待つ。全ての終了通知が到着したらステップＳ８０６に進み、取り外しおよび運搬命令を発行する。複数の光ディスクに同時にデータ記録あるいは再生した場合は、最初の取り外しおよび運搬命令を発行する。ステップＳ８０７では、ステップＳ８０６で発行した光ディスク取り外しおよび運搬命令の終了通知を待つ。終了通知が到着したらステップＳ８０８に進み、必要な全ての光ディスクの取り外しおよび運搬が完了していれば処理を終了し、取り外しおよび運搬が完了していなければステップＳ８０６に戻り次の光ディスク取り外しおよび運搬命令を発行する。
【００７９】
なお、図８は複数の光ディスクに互いに関係するデータを記録あるいは再生する場合の例であり、互いに関係しないデータを記録あるいは再生する場合は、前述のとおり各々の運搬、装着および取り外しの振動の影響を受けないようにデータ記録再生装置を選択しているので、次の命令に移る前に全ての終了通知を待つ必要はない。
【００８０】
以上の構成により本発明の第１の実施例では、複数の光ディスクに互いに関係するデータを記録あるいは再生する場合は、隣り合った複数のデータ記録再生装置に光ディスクを装着した後、同時にデータを記録あるいは再生し、全ての記録あるいは再生の完了後に光ディスクを取り外すことにより、光ディスクの装着および取り外し時の振動の影響を避けてデータ記録再生品質を確保することができる。
【００８１】
また、複数の光ディスクに互いに無関係なデータを記録する場合は、１台ずつ間隔を空けたデータ記録再生装置使ってデータを記録することにより、別々のタイミングでデータを記録あるいは再生しても、互いの光ディスクの装着および取り外し時の振動の影響を避けてデータ記録再生品質を確保することができる。
【実施例２】
【００８２】
第２の実施例のデータライブラリ装置、データ記録再生装置、およびデータアーカイブシステム装置の構成は実施例１と同様であるため説明を省略する。また、データライブラリ装置の動作を示すフローチャート、サーバからデータライブラリ装置への命令発行処理を示すフローチャートについても、実施例１と同様であるため説明を省略する。更にデータライブラリ装置内のデータ記録再生装置の配置についても、実施例１と同様であるため説明を省略する。
【００８３】
図９は、第２の実施例として図５のステップＳ５０７のデータ記録再生装置選択処理の詳細を示すフローチャートである。
【００８４】
ステップＳ９０１、Ｓ９０２、Ｓ９０３、Ｓ９１３については、図７のステップＳ７０１、Ｓ７０２、Ｓ７０３、Ｓ７０７と同様であるため、説明を省略する。
【００８５】
ステップＳ９０４、Ｓ９０７、Ｓ９１０では、既に動作中のデータ記録再生装置があるかどうかを判断する。既に動作中のデータ記録再生装置がある場合は各々ステップＳ９０５、Ｓ９０８、Ｓ９１１に進み、既に動作中のデータ記録再生装置がない場合は各々ステップＳ９０６、Ｓ９０９、Ｓ９１２に進む。
【００８６】
ステップＳ９０５では、記録する複数のデータは互いに関係するデータであり、既に動作中のデータ記録再生装置があるため、既に動作中のデータ記録再生装置から1台間隔を空け、かつ隣り合った複数のデータ記録再生装置を選択する。既に動作中のデータ記録再生装置から1台間隔を空け、かつ隣り合った複数のデータ記録再生装置とは、例えば図６のデータ記録再生装置６０１が既に動作中である時のデータ記録再生装置６０３と６０４である。また、２枚の光ディスクの容量を超える場合は、データ記録再生装置６０３〜６０５、３枚の光ディスクの容量を超える場合は、データ記録再生装置６０３〜６０６のように隣り合ったデータ記録再生装置を追加していけばよい。
【００８７】
また、既に動作中のデータ記録再生装置から1台間隔を空け、かつ隣り合った複数のデータ記録再生装置の別の例としては、図６のデータ記録再生装置６０５が既に動作中である時のデータ記録再生装置６０１と６０２である。また、２枚の光ディスクの容量を超える場合は、データ記録再生装置６０１〜６０３、３枚の光ディスクの容量を超える場合は、データ記録再生装置６０１〜６０３に加えて６０７のようにデータ記録再生装置を追加していけばよい。
【００８８】
ステップＳ９０８では、記録する複数のデータは互いに関係しないデータであり、既に動作中のデータ記録再生装置があるため、既に動作中のデータ記録再生装置も含めて1台ずつ間隔を空けたデータ記録再生装置を選択する。既に動作中のデータ記録再生装置も含めて1台ずつ間隔を空けたデータ記録再生装置とは、例えば図６のデータ記録再生装置６０１が既に動作中である時のデータ記録再生装置６０３と６０５である。また、２枚の光ディスクの容量を超える場合は、データ記録再生装置６０３、６０５と６０７、のように1台ずつ間隔を空けたデータ記録再生装置を追加していけばよい。３枚の光ディスクの容量を超える場合は、データ記録再生装置が足りなくなるが、このケースについては後述する。
【００８９】
また、既に動作中のデータ記録再生装置も含めて1台ずつ間隔を空けたデータ記録再生装置の別の例としては、図６のデータ記録再生装置６０５が既に動作中である時のデータ記録再生装置６０１と６０３である。また、２枚の光ディスクの容量を超える場合は、データ記録再生装置６０１と６０３に加えて６０７のように1台ずつ間隔を空けたデータ記録再生装置を追加していけばよい。
【００９０】
ステップＳ９１１では、記録するデータの容量が１枚の光ディスクの容量を超えておらず、既に動作中のデータ記録再生装置があるため、既に動作中のデータ記録再生装置から1台間隔を空けたデータ記録再生装置を選択する。例えば図６のデータ記録再生装置６０１が既に動作中である時のデータ記録再生装置６０３である。
【００９１】
ステップＳ９０６、ステップＳ９０９、ステップＳ９１２については、既に動作中のデータ記録再生装置がない場合の処理であり、図７のステップＳ７０４、ステップＳ７０５、ステップＳ７０６と同様であるため、説明を省略する。
【００９２】
なお、既に動作中のデータ記録再生装置とは、例えば既に記録あるいは再生動作を行っているデータ記録再生装置であるが、データ再生時のエラー発生はリトライ処理で救うことも可能であるため、既に記録動作を行っているデータ記録再生装置に限定してもよい。
【００９３】
次に、ステップＳ９１４では、ステップＳ９０５、Ｓ９０６、Ｓ９０８、Ｓ９０９、Ｓ９１１、Ｓ９１２にてデータ記録再生装置の選択が完了したかどうかを判定し、必要数に足りずに選択完了できなかった場合はステップＳ９１５に進み、選択不能エラーを出力する。選択不能エラーが出力されるケースとしては、例えばステップＳ９０８にて既に動作中のデータ記録再生装置があり、更に互いに関係しないデータが多数あり、各々１台ずつ間隔を空けることによりデータ記録再生装置の必要数に足りなくなった場合等が考えられる。もちろん、図５のステップＳ５０６にて既に動作中のデータ記録再生装置があることや、互いに関係しないデータが多数あることを考慮してライブラリ装置を選択しておけば、この限りではない。
【００９４】
以上の構成により本発明の第２の実施例では、実施例１と同様の効果を得ることができる。
【００９５】
更に、既に動作中のデータ記録再生装置があれば、当該装置から1台間隔を空けてデータ記録再生装置を選択するため、既に動作中のデータ記録再生装置も含めて、互いの光ディスクの装着および取り外し時の振動の影響を避けてデータ記録再生品質を確保することができる。
【００９６】
あるいは、既にデータ記録動作中のデータ記録再生装置があれば、当該装置から1台間隔を空けてデータ記録再生装置を選択するため、既にデータ記録動作中のデータ記録再生装置も含めて、互いの光ディスクの装着および取り外し時の振動の影響を避けてデータ記録品質を確保することができる。
【実施例３】
【００９７】
第３の実施例のデータライブラリ装置、データ記録再生装置、およびデータアーカイブシステム装置の構成は実施例１と同様であるため説明を省略する。また、データライブラリ装置の動作を示すフローチャート、サーバからデータライブラリ装置への命令発行処理を示すフローチャートについても実施例１と同様であるため説明を省略する。
【００９８】
図１０は、第３の実施例のデータ記録再生装置配置を示す図である。データライブラリ装置内にデータ記録再生装置を２台一組として設置した例であり、ここでは８台のデータ記録再生装置１００１〜１００８を２台一組で設置している。データ記録再生装置１００１〜１００８は光ディスク１０９の装着および取り外し時には振動が発生し、隣接するデータ記録再生装置の記録再生性能に影響を与える。例えばデータ記録再生装置１００１の記録処理中に、データ記録再生装置１００２に対して光ディスク１０９の装着あるいは取り外しを行うと、データ記録再生装置１００１で記録中の光ディスクのエラーレートが上昇する場合がある。
【００９９】
もちろん、これらは本実施例を説明する上での一例に過ぎず、データ記録再生装置の設置方法、設置位置や設置間隔は異なる場合があり、それぞれの場合で振動の影響も異なる。また、データの記録や再生などの動作ごとに、発生する振動の程度や影響の大きさが異なることも考えられる。
【０１００】
図１１は、第３の実施例として図５のステップＳ５０７のデータ記録再生装置選択処理の詳細を示すフローチャートである。
【０１０１】
ステップＳ１１０１、Ｓ１１０２、Ｓ１１０３については、図７のステップＳ７０１、Ｓ７０２、Ｓ７０３と同様であるため、説明を省略する。
【０１０２】
ステップＳ１１０４では、記録する複数のデータは互いに関係するデータであり、これらのデータの記録には２台一組のペアのデータ記録再生装置を選択する。２台一組のペアのデータ記録再生装置とは、例えば図１０のデータ記録再生装置１００１と１００２である。また、２枚の光ディスクの容量を超える場合は、データ記録再生装置１００１〜１００３、３枚の光ディスクの容量を超える場合は、データ記録再生装置１００１〜１００４のように２台一組のペアのデータ記録再生装置を追加していけばよい。
【０１０３】
ステップＳ１１０５では、記録する複数のデータは互いに関係しないデータであり、これらのデータの記録には２台一組のペアでないデータ記録再生装置を選択する。２台一組のペアでないデータ記録再生装置とは、例えば図１０のデータ記録再生装置１００１と１００３である。また、２枚の光ディスクの容量を超える場合は、データ記録再生装置１００１、１００３と１００５、３枚の光ディスクの容量を超える場合は、データ記録再生装置１００１、１００３、１００５と１００７、のように２台一組のペアでないデータ記録再生装置を追加していけばよい。４枚の光ディスクの容量を超える場合は、データ記録再生装置が足りなくなるが、このケースについては後述する。
【０１０４】
ステップＳ１１０６、Ｓ１１０７については、図７のステップＳ７０６、Ｓ７０７と同様であるため、説明を省略する。
【０１０５】
次に、ステップＳ１１０８では、ステップＳ１１０４、Ｓ１１０５、Ｓ１１０６にてデータ記録再生装置の選択が完了したかどうかを判定し、必要数に足りずに選択完了できなかった場合はステップＳ１１０９に進み、選択不能エラーを出力する。選択不能エラーが出力されるケースとしては、例えばステップＳ１１０５にて互いに関係しないデータが多数あり、各々２台１組のペアでないデータ記録再生装置が必要数に足りなくなった場合等が考えられる。もちろん、図５のステップＳ５０６にて互いに関係しないデータが多数あることを考慮してライブラリ装置を選択しておけば、この限りではない。
【０１０６】
以上の構成により本発明の第３の実施例では、複数の光ディスクに互いに関係するデータを記録あるいは再生する場合は、２台一組のペアのデータ記録再生装置に光ディスクを装着した後、同時にデータを記録あるいは再生し、全ての記録あるいは再生の完了後に光ディスクを取り外すことにより、光ディスクの装着および取り外し時の振動の影響を避けてデータ記録再生品質を確保することができる。
【０１０７】
また、複数の光ディスクに互いに無関係なデータを記録する場合は、２台一組のペアでないデータ記録再生装置を使ってデータを記録することにより、別々のタイミングでデータを記録あるいは再生しても、互いの光ディスクの装着および取り外し時の振動の影響を避けてデータ記録再生品質を確保することができる。
【実施例４】
【０１０８】
第４の実施例のデータライブラリ装置、データ記録再生装置、およびデータアーカイブシステム装置の構成は実施例１と同様であるため説明を省略する。また、データライブラリ装置の動作を示すフローチャート、サーバからデータライブラリ装置への命令発行処理を示すフローチャートについても実施例１と同様であるため説明を省略する。更にデータライブラリ装置内のデータ記録再生装置の配置については、実施例２と同様であるため説明を省略する。
【０１０９】
図１２は、第４の実施例として図５のステップＳ５０７のデータ記録再生装置選択処理の詳細を示すフローチャートである。
【０１１０】
ステップＳ１２０１、Ｓ１２０２、Ｓ１２０３、Ｓ１２１３については、図７のステップＳ７０１、Ｓ７０２、Ｓ７０３、Ｓ７０７、および、図１１のステップＳ１１０１、Ｓ１１０２、Ｓ１１０３、Ｓ１１０７と同様であるため、説明を省略する。
【０１１１】
ステップＳ１２０４、Ｓ１２０７、Ｓ１２１０については、図１１のステップＳ１１０４、Ｓ１１０７、Ｓ１１１０と同様であるため、説明を省略する。
【０１１２】
ステップＳ１２０５では、記録する複数のデータは互いに関係するデータであり、既に動作中のデータ記録再生装置があるため、既に動作中のデータ記録再生装置とは別の組で、かつ２台一組のペアのデータ記録再生装置を選択する。既に動作中のデータ記録再生装置とは別の組で、かつ２台一組のペアのデータ記録再生装置とは、例えば図１０のデータ記録再生装置１００１が既に動作中である時のデータ記録再生装置１００３と１００４である。また、２枚の光ディスクの容量を超える場合は、データ記録再生装置１００３〜１００５、３枚の光ディスクの容量を超える場合は、データ記録再生装置１００３〜１００６のように２台一組のペアのデータ記録再生装置を追加していけばよい。
【０１１３】
また、既に動作中のデータ記録再生装置とは別の組で、かつ２台一組のペアのデータ記録再生装置の別の例としては、図１０のデータ記録再生装置１００５が既に動作中である時のデータ記録再生装置１００１と１００２である。また、２枚の光ディスクの容量を超える場合は、データ記録再生装置１００１〜１００３、３枚の光ディスクの容量を超える場合は、データ記録再生装置１００１〜１００３に加えて１００７のようにデータ記録再生装置を追加していけばよい。
【０１１４】
ステップＳ１２０８では、記録する複数のデータは互いに関係しないデータであり、既に動作中のデータ記録再生装置があるため、既に動作中のデータ記録再生装置も含めて各々２台一組のペアでない別の組のデータ記録再生装置を選択する。既に動作中のデータ記録再生装置も含めて各々２台一組のペアでない別の組のデータ記録再生装置とは、例えば図１０のデータ記録再生装置１００１が既に動作中である時のデータ記録再生装置１００３と１００５である。また、２枚の光ディスクの容量を超える場合は、データ記録再生装置１００３、１００５と１００７、のように別の組データ記録再生装置を追加していけばよい。３枚の光ディスクの容量を超える場合は、データ記録再生装置が足りなくなるが、このケースについては後述する。
【０１１５】
また、既に動作中のデータ記録再生装置も含めて各々２台一組のペアでない別の組のデータ記録再生装置の別の例としては、図１０のデータ記録再生装置１００５が既に動作中である時のデータ記録再生装置１００１と１００３である。また、２枚の光ディスクの容量を超える場合は、データ記録再生装置１００１と１００３に加えて１００７のようにデータ記録再生装置を追加していけばよい。
【０１１６】
ステップＳ１２１１では、記録するデータの容量が１枚の光ディスクの容量を超えておらず、既に動作中のデータ記録再生装置があるため、既に動作中のデータ記録再生装置とは別の組のデータ記録再生装置を選択する。
【０１１７】
ステップＳ１２０６、ステップＳ１２０９、ステップＳ１２１２については、既に動作中のデータ記録再生装置がない場合の処理であり、図１１のステップＳ１１０４、ステップＳ１１０５、ステップＳ１１０６と同様であるため、説明を省略する。
【０１１８】
次に、ステップＳ１２１４では、ステップＳ１２０５、Ｓ１２０６、Ｓ１２０８、Ｓ１２０９、Ｓ１２１１、Ｓ１２１２にてデータ記録再生装置の選択が完了したかどうかを判定し、必要数に足りずに選択完了できなかった場合はステップＳ１２１５に進み、選択不能エラーを出力する。選択不能エラーが出力されるケースとしては、例えばステップＳ１２０８にて既に動作中のデータ記録再生装置があり、更に互いに関係しないデータが多数あり、２台１組のペアでないデータ記録再生装置が必要数に足りなくなった場合等が考えられる。もちろん、図５のステップＳ５０６にて既に動作中のデータ記録再生装置があることや、互いに関係しないデータが多数あることを考慮してライブラリ装置を選択しておけば、この限りではない。
【０１１９】
以上の構成により本発明の第４の実施例では、実施例２と同様の効果を得ることができる。
【０１２０】
更に、既に動作中のデータ記録再生装置があれば、当該装置とは別の組のデータ記録再生装置を選択するため、既に動作中のデータ記録再生装置も含めて、互いの光ディスクの装着および取り外し時の振動の影響を避けてデータ記録再生品質を確保することができる。
【０１２１】
あるいは、既にデータ記録動作中のデータ記録再生装置があれば、当該装置とは別の組のデータ記録再生装置を選択するため、既にデータ記録動作中のデータ記録再生装置も含めて、互いの光ディスクの装着および取り外し時の振動の影響を避けてデータ記録品質を確保することができる。
【０１２２】
なお、本実施例は以下のようにも記述できる。すなわち、複数枚の記録媒体とこの記憶媒体を複数枚格納する記録媒体格納装置と、記憶媒体にデータを記録する複数のデータ記録再生装置と、記録媒体格納装置とデータ記録再生装置との間で記録媒体を運搬する記録媒体運搬装置とを備えるデータライブラリ装置と、ネットワークと接続し、前記データライブラリ装置を制御するサーバより構成されるデータアーカイブシステムにおいて、データ記録再生装置は、Ｎ個で一組として第一の支持部材により支持されており、さらに第一の支持部材で支持された組を複数組まとめて第二の支持部材により支持されており、複数のデータ記録再生装置のうち、一つのデータ記録再生装置で記録が行われている場合には、記録媒体運搬装置は記録が行われているデータ記録再生装置と異なる第一の支持部材により支持されているデータ記録再生装置に記録媒体を装着するデータアーカイブシステムということもできる。
【０１２３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１２４】
Ｓ７０１…記録要求判定処理
Ｓ７０２…記録データ容量確認処理
Ｓ７０３…記録データの関係確認処理
Ｓ７０４…隣り合ったデータ記録再生装置の選択処理
Ｓ７０５…1台ずつ間隔を空けたデータ記録再生装置の選択処理
Ｓ７０６…1台のデータ記録再生装置の選択処理
Ｓ７０７…分割記録されたデータかどうかの判定処理
Ｓ７０８…選択完了できたかどうかの判定処理
Ｓ７０９…選択不能エラー出力処理
【図１】
2013191252.tif 000003
【図２】
2013191252.tif 000004
【図３】
2013191252.tif 000005
【図４】
2013191252.tif 000006
【図５】
2013191252.tif 000007
【図６】
2013191252.tif 000008
【図７】
2013191252.tif 000009
【図８】
2013191252.tif 000010
【図９】
2013191252.tif 000011
【図１０】
2013191252.tif 000012
【図１１】
2013191252.tif 000013
【図１２】
2013191252.tif 000014